(57)【要約】【課題】  フランジ連結式配管の連結や仮組み作業を、一人の作業人員で、容易に、確実かつ安全に行うための配管連結用治具を提供すること。【解決手段】  フランジ式の連結部を有する配管１１，１２を連結もしくは仮組みする際に用いる配管連結用治具であり、配管１１，１２を保持するための孔が設けられた２つ互いに対向する保持プレート４１，４２と、その保持プレート４１，４２を配管１１，１２の軸心方向に可動に設定するスライドガイド５とを備える配管連結用治具である。また、保持プレート４１，４２に可動式クランプにより前記配管を保持する配管保持機構を設けてもよく、スライドガイド５にはロック機構を設けてもよい。【選択図】  図１
2007245258.tif 000002
【特許請求の範囲】
【請求項１】
フランジ式の連結部を有する配管同士を連結もしくは仮組みする際に用いる配管連結用治具であって、前記配管を保持するための孔が設けられた２つの互いに対向する保持プレートと、前記保持プレートを前記配管の軸心方向に可動に設定するスライドガイドとを備えることを特徴とする配管連結用治具。
【請求項２】
フランジ式の連結部を有する配管同士を連結もしくは仮組みする際に用いる配管連結用治具であって、可動式クランプによって前記配管を保持する配管保持機構が設けられた互いに対向する２つの保持プレートと、前記保持プレートを前記配管の軸心方向に可動に設定するスライドガイドとを備えることを特徴とする配管連結用治具。
【請求項３】
前記スライドガイドには前記保持プレートの位置を固定するためのロック機構が設けられたことを特徴とする請求項１または２記載の配管連結用治具。
【発明の詳細な説明】
【技術分野】
【０００１】
本発明は、主に、フランジ式の連結部を有する配管を接続する際に用いる配管連結用治具に関する。
【背景技術】
【０００２】
従来、配管類の接続には、ねじ込み継手、フランジ式の継手（連結部）および溶接継手などが用いられている。
【０００３】
フランジ式の継手を連結する際は、フェルールクランプという、蝶ねじを締め込むことで直径を小さくし、フランジ継手を締め込む専用のクランプを使用するが、連結しようとする両配管のフランジとの間には配管を流れる液体や気体の漏洩防止のためにリング状のフェルールパッキンを入れる必要がある（たとえば、特許文献１）。また、Ｏリングを利用した管継手とパッキンも開示されている（特許文献２）。
【０００４】
配管の実組み付け作業時には、連結しようとする配管を二人の人員で一本ずつ保持するか、もしくは一人の人員が両手に持ち、かつフェルールパッキンを両配管のフランジの間に挿入した上で、フェルールクランプをかけ、フェルールクランプのねじを締め込む作業が必要である。
【０００５】
また、配管工事の際は配管の連結後の長さを確認するために、配管同士を仮組みするが、その際には実際に組付けるフェルールクランプとフェルールパッキンを使用する必要があり、仮組みの度に、上記と同様の作業を行う必要がある。
【０００６】
前記フランジ式配管の連結には、連結しようとする両配管の間に、配管内を流れる物質の漏洩を防ぐ目的でフェルールパッキンを入れることを前記したが、このフェルールパッキンの取り付け状態が悪く、連結フランジ部の凸部等に噛み込んだ場合はフェルールパッキンが破損し、実働状態にて管内を流れる物質が漏洩する危険性がある。
【０００７】
【特許文献１】特開平８−７５０６２号公報
【特許文献２】特開平９−１４５４５号公報
【発明の開示】
【発明が解決しようとする課題】
【０００８】
上記の作業を一人の人員により実施することは非常に難しく、同時にフェルールパッキンの破損といった問題の発生確率も高くなる。また、二人の人員による作業を実施できるとは限らない。
【０００９】
このような状況にあって、本発明の課題は、フランジ連結式配管の連結や仮組み作業を、一人の作業人員で、容易に、確実かつ安全に行うための配管連結用治具を提供することにある。
【課題を解決するための手段】
【００１０】
上記課題を解決するために、本発明の配管連結用治具は、フランジ式の連結部を有する配管同士を連結もしくは仮組みする際に用いる配管連結用治具であって、前記配管を保持するための孔が設けられた２つの互いに対向する保持プレートと、前記保持プレートを前記配管の軸心方向に可動に設定するスライドガイドとを備えることを特徴とする。
【００１１】
また、本発明の配管連結用治具は、フランジ式の連結部を有する配管同士を連結もしくは仮組みする際に用いる配管連結用治具であって、可動式クランプによって前記配管を保持する配管保持機構が設けられた互いに対向する２つの保持プレートと、前記保持プレートを前記配管の軸心方向に可動に設定するスライドガイドとを備えることを特徴とする。
【００１２】
また、前記スライドガイドには前記保持プレートの位置を固定するためのロック機構が設けられるとよい。
【００１３】
そうすることで、本発明の配管連結用治具は、フランジ式配管の連結、仮組み作業時に、連結しようとする配管を一時的に保持する機能を備えたものとなる。また、連結しようとする２本の配管の連結フランジ部分同士を合わせる機能を備えたものとなる。また、連結しようとする配管同士の連結フランジ部分を合わせた際に、その位置を保持できる機能を備えたものとなる。
【発明の効果】
【００１４】
本発明の配管連結用治具を使用することで、フランジ式配管における連結作業や仮組み作業時において、連結しようとする両配管の一時的な保持を行い、フェルールパッキンの挿入、連結フランジ部分同士の一時的な仮接合を一人の人員で行うことができる。また、本発明の配管連結用治具を取り付けた状態であれば、両配管が揺れることや、動くことがないため、フェルールパッキンを正規の組付け位置に設置でき、フェルールパッキンの破損も避けられる。また、その状態で本組み用のフェルールクランプを取り付けることもできるため、連結作業を確実に、そして安全に実施することができる。
【００１５】
また、作業時には配管の揺れや、動きを防止できるので、作業の安全性に優れている。危険物を取り扱う場所や薬品を扱う場所など、その他の配管連結作業を行う際に、周囲の設備と連結しようとしている配管が接触することを避ける必要が生じる場所において、特に有効である。
【発明を実施するための最良の形態】
【００１６】
以下に本発明の実施の形態について図面を参照しながら説明する。
【００１７】
（実施の形態１）まず、図４はフランジ式連結部を有する配管の一般的な連結機構を示す正面図である。ただし、連結部のフェルールクランプの下部を除去して、内部のフェルールパッキンおよびフランジ部を示した。２本のフランジ式の配管１１，１２を、フェルールパッキン２を介し、フェルールクランプ３を用いて連結したものである。
【００１８】
図１は本発明の実施の形態１での配管連結用治具を示し、図１（ａ）は配管連結用治具に、連結しようとする配管を取り付けたときの正面図であり、図１（ｂ）はその右側面図である。
【００１９】
まず、フランジ式連結部を持った、連結しようとする配管１１，１２に、配管連結用治具を取り付ける。配管連結用治具は互いに対向する保持プレート４１，４２、およびスライドガイド５によって構成され、保持プレート４１，４２には配管１１，１２が嵌合する孔５１，５２が設けられている。このように配管を保持することで、２つのフランジ式連結部を合わせることが一人の作業員でも可能になる。
【００２０】
（実施の形態２）図２は本発明の実施の形態２での配管連結用治具を示す正面図である。まず連結しようとする配管１１，１２に、配管連結用治具を取り付ける。その配管連結用治具は保持プレート４１，４２、ロック機構付きスライドガイド６によって構成されている。このように配管を保持することで、フランジ式連結部を合わせることが一人の作業員でも可能になるだけでなく、安全かつ確実に、作業することが可能になる。
【００２１】
（実施の形態３）図３は本発明の実施の形態３での配管連結用治具を示し、図３（ａ）はその正面図、図３（ｂ）はその右側面図である。まず連結しようとする配管１１，１２に、配管連結用治具を取り付ける。この配管連結用治具は保持プレート４１，４２、およびロック機構付きスライドガイド６によって構成されている。さらに、保持プレート４１，４２には異なる配管径でも保持できるように可動式クランプ７（可動の支持部を備え、配管を把持してクランプする手段）を取り付けた構成となっている。
【産業上の利用可能性】
【００２２】
本発明の配管連結用治具はフランジ式連結部を有する配管を接続する際に用いることができるが、本発明によれば、作業時での配管の揺れなどの動きを防止できるため、作業の安全性に優れており、危険物を取り扱う場所や薬品を扱う場所など、周囲の設備と連結しようとしている配管が接触することを避ける必要が生じる場所での配管接続において、特に有効に利用することができる。
【図面の簡単な説明】
【００２３】
【図１】本発明の実施の形態１での配管連結用治具を示し、図１（ａ）は配管連結用治具に配管を取り付けたときの正面図、図１（ｂ）はその右側面図。
【図２】本発明の実施の形態２での配管連結用治具を示す正面図。
【図３】本発明の実施の形態３での配管連結用治具を示し、図３（ａ）はその正面図、図３（ｂ）はその右側面図。
【図４】フランジ式配管の一般的な連結構成を示す正面図。
【符号の説明】
【００２４】
２    フェルールパッキン
３    フェルールクランプ
５    スライドガイド
６    ロック機構付きスライドガイド
７    可動式クランプ
１１，１２    配管
４１，４２    保持プレート
５１，５２    孔
【図１】
2007245258.tif 000003
【図２】
2007245258.tif 000004
【図３】
2007245258.tif 000005
【図４】
2007245258.tif 000006